(57)【要約】【課題】モニタを簡単に取外すことができると共に、振動に対してモニタの揺れを最小限に抑える。【解決手段】モニタ１０を受けるブラケット２０は、モニタの底面１４ｂを受ける底面受け部２５及びモニタの背面１４ａを受ける背面受け部２１を有している。モニタ１０は、その底面１４ｂにネジ孔１９が形成され、その背面であって且つその上部に上方に凹んだ上部被係合部１７が形成されている。ブラケット２０の底面受け部２５には、モニタの底面のネジ孔１９に螺合するモニタ固定ネジ２６が設けられ、ブラケット２０の背面受け部２１には、モニタがブラケットに対して相対的に下方に移動する過程で上部被係合部１７に係合する爪２３が形成されている。【選択図】　図２
2004082759.tif 000002
【特許請求の範囲】
【請求項１】
モニタと、該モニタを受けて設置場所に取り付けられるブラケットと、を備えているモニタ装置において、
前記ブラケットは、前記モニタの底面を受ける底面受け部及び該モニタの背面を受ける背面受け部を有し、
前記モニタは、該モニタの底面に下部被係止部が設けられ、該モニタの背面であって該モニタの上部に、該モニタの下部から上部の方向に凹んだ又は該モニタの上部から下部の方向に突出した上部被係合部が設けられ、
前記ブラケットの前記底面受け部には、人の操作で脱着動作して前記モニタの底面の前記下部被係止部を係止する下部係止部が設けられ、
前記ブラケットの前記背面受け部には、前記モニタが該ブラケットに対して相対的に下方に移動する過程で前記上部被係合部に係合し、該モニタの表示面に対して垂直な方向の移動を規制する上部係合部が設けられている、
ことを特徴とするモニタ装置。
【請求項２】
請求項１に記載のモニタ装置において、
前記モニタの前記上部被係合部は、該モニタの下部から上部の方向に凹んだ溝であり、
前記ブラケットの前記上部係合部は、該モニタの下部から上部の方向に伸び且つ前記溝に嵌まり込む爪である、
ことを特徴とするモニタ装置。
【請求項３】
請求項１及び２のいずれか一項に記載のモニタ装置において、
前記モニタの底面に設けられている前記下部被係止部は、該モニタの下部から上部の方向に凹んだネジ穴であり、
前記ブラケットの下部係止部は、前記ネジ穴に捩じ込まれる雄ネジである、
ことを特徴とするモニタ装置。
【請求項４】
請求項１から３のいずれか一項に記載のモニタ装置において、
前記設置場所に固定される固定部と、
前記ブラケットが上下方向に移動可能に及び／又は変角可能に、前記固定部と前記ブラケットとを連結する連結機構と、
を備えていることを特徴とするモニタ装置。
【発明の詳細な説明】
【０００１】
【発明の属する技術分野】
本発明は、車両内等に設置されるモニタ装置であって、モニタと、このモニタを受けて設置場所に取り付けられるブラケットとを備えているモニタ装置に関する。
【０００２】
【従来の技術】
従来、車両内等に設置されるモニタ装置としては、例えば、図４や図６に示すようなものがある。
【０００３】
図４に示すモニタ装置は、モニタ１０ａと、モニタ１０ａを受けるブラケット２０ａと、設置場所に固定される固定板３９と、この固定板３９とブラケット２０ａを連結する連結機構３０と、を備えている。ブラケット２０ａは、モニタ１０ａの底面を受ける底面受け部２５と、上下方向に長いスライド用長孔２２が形成されている背面受け部２１と、を有している。このブラケット２０ａは、スライド用長孔２２を介して、連結機構３０と連結ネジ３６で連結され、連結機構３０に対してスライド用長孔２２の長手方向、つまり上下方向に移動できるようになっている。モニタ１０ａの底面には、ネジ孔１９が形成されている。一方、ブラケット２０ａの底面受け部２５には、このネジ孔１９に螺合可能なモニタ固定ネジ２６が取り付けられている。このモニタ１０ａは、図５に示すように、モニタ固定ネジ２６がモニタ１０ａのネジ孔１９に捩じ込まれることにより、ブラケット２０ａの底面受け部２５に固定される。
【０００４】
また、図５に示すモニタ装置は、モニタ１０ｂと、設置場所に固定される固定板３９と、モニタ１０ｂと固定板３９とを連結する連結機構３０と、を備えている。モニタ１０ｂの背面には、上下方向に長い長溝１６ｂが形成されている。モニタ１０ｂは、図７に示すように、この長溝１６ｂを介して、連結機構３０とモニタ固定ネジ３６ｂで連結され、連結機構３０に対して長溝１６ｂの長手方向、つまり上下方向に移動できるようになっている。
【０００５】
【発明が解決しようとする課題】
しかしながら、図４及び図５に示す従来技術では、モニタ１０ａの底面でのみ、モニタ１０ａをネジ２６で固定しているので、モニタ１０ａを取り外し易い一方で、モニタ１０ａの上部が振動で揺れ易いという問題点がある。このような問題は、設置場所が振動する車両用モニタにおいては、大きな問題である。
【０００６】
また、図６及び図７に示す従来技術では、モニタ１０ｂの背面のほぼ中央部をネジ３６ｂで止めているので、モニタ１０ｂの上部又は下部の揺れを比較的抑えることができるものの、モニタ１０ｂの背後にネジ３６ｂがあるため、モニタ１０ｂを取外し難いという問題点がある。近年、車両用ナビゲーション装置では、モニタを取外して車外に持ち出し、手持ちのナビゲーション装置として利用するものも多く、このような観点からすると、モニタの取外し性は使い勝手の面から重要なことである。
【０００７】
すなわち、従来技術では、モニタの振動対策とモニタの取外し容易性の両立が成し得ていないという不具合がある。
【０００８】
本発明は、このような従来技術の不具に着目し、モニタの揺れを最小限に抑えることができると共に、モニタを簡単に取り外すことができるモニタ装置を提供することを目的とする。
【０００９】
【課題を解決するための手段】
前記目的を達成するためモニタ装置は、
モニタを受けるブラケットは、前記モニタの底面を受ける底面受け部及び該モニタの背面を受ける背面受け部を有し、
前記モニタは、該モニタの底面に下部被係止部が設けられ、該モニタの背面であって該モニタの上部に、該モニタの下部から上部の方向に凹んだ又は該モニタの上部から下部の方向に突出した上部被係合部が設けられ、
前記ブラケットの前記底面受け部には、人の操作で脱着動作して前記モニタの底面の前記下部被係止部を係止する下部係止部が設けられ、
前記ブラケットの前記背面受け部には、前記モニタが該ブラケットに対して相対的に下方に移動する過程で前記上部被係合部に係合し、該モニタの表示面に対して垂直な方向の移動を規制する上部係合部が設けられている、ことを特徴とするものである。
【００１０】
【発明の実施の形態】
以下、本発明に係るモニタ装置の一実施形態について、図面を用いて説明する。
【００１１】
本実施形態のモニタ装置は、図１に示すように、モニタ１０と、このモニタ１０を受けるブラケット２０と、設置場所に固定される固定板３９と、この固定板３９とブラケット２０を連結する連結機構３０とを備えている。
【００１２】
モニタ１０は、表示パネル１１と、表示パネル１１の背後に配されてこのパネル１１を駆動する駆動回路（図示されていない）と、表示パネル１１の外周及び駆動回路を覆おうパネルケーシング１２を有している。このパネルケーシング１２の背面１４ａには、表示パネル側に凹み且つモニタ１０の上下方向に伸びる長溝１３が形成されている。なお、本明細書において、上下方向、モニタの上部から下部の方向又は下部から上部の方向とは、いずれも、モニタ１０の映像をユーザが実際に見る状態でのモニタ１０の上端から下端の方向、又はモニタ１０の下端から上端の方向であり、鉛直方向の意味ではない。
【００１３】
また、パネルケーシング１２の背面１４ａには、この長溝１３を覆うように断面Ｌ型の金具１５が取り付けられている。このＬ型金具１５の長片には、長溝１３の溝幅よりも狭い幅で且つ長溝１３と同じ方向に伸びている長孔１６が形成されている。この長孔１６は、図２に示すように、金具１５の長片の端まで形成されていない。このため、ケーシング１２の長溝１３の上部は、金具１５で完全に覆われており、この長溝１３の上部と金具１５とにより、上方に凹んだ上部被係合部１７を形成している。また、金具１５の短片には、長片に形成されている長孔１６に連なる切欠き孔１８と、ネジ孔（下部被係止部）１９とが形成されている。切欠き孔１８の横幅は、長孔の幅及び後述する爪の幅よりも大きく、この切欠き孔１８が爪の挿入口となっている。この金具１５の短片は、パネルケーシング１２の底面１４ｂに接している。
【００１４】
ブラケット２０は、断面Ｌ型を成し、その長片がパネル１０の背面１４ａを受ける背面受け部２１を形成し、その短片がパネル１０の底面１４ｂを受ける底面受け部２５を成している。このブラケット２０の底面受け部２５には、モニタ１０のネジ孔１９に螺合可能なモニタ固定ネジ（下部係止部）２６が回転可能に取り付けられている。このモニタ固定ネジ２６のネジ頭は、底面受け部２５の下面側に位置し、モニタ固定ネジ２６のネジ部は底面受け部２５の上面から突出している。ブラケット２０の背面受け部２１には、上下方向に伸びるスライド用長孔２２と、断面がクランク型を成し、その端部が上方を向いている爪（上部係合部）２３と、モニタ１０の背面に接する接触面２４と、が形成されている。爪２３は、スライド用長孔２２の上部に形成され、接触面２４は、スライド用長孔２２の両側に形成されている。
【００１５】
連結機構３０は、固定板に固定される球面ジャーナル座３１と、この球面ジャーナル座３１から伸びる連結ロッド３５と、この連結ロッド３５にねじ込まれている操作ダイヤル３７と、を有している。球面ジャーナル座３１は、球体３２と、これを包む受け座３３と、受け座３３に対して球体３２を回転不能に拘束する拘束具３４と、を有している。球体３２には、前述の連結ロッド３５が形成されている。この連結ロッド３５の端部に、ブラケット２０のスライド用長孔２の孔幅より大きいフランジ部３６が形成されている。ブラケット２０は、そのスライド用長孔２２に連結ロッド３５が挿通され、フランジ部３６と操作ダイヤル３７との間に挟持される。操作ダイヤル３７を緩めると、つまり、フランジ部３６と操作ダイヤル３７との間隔を広げると、スライド用長孔２２が伸びている方向に、連結機構３０に対してブラケット２０を相対移動させることができる。また、拘束具３４を緩めると、受け座３３に対して球体３２が回転可能になるため、ブラケット２０は受け座３３を中心として変角させることができる。
【００１６】
連結機構３０に取り付けられているブラケット２０に、モニタ１０を取り付ける際には、先ず、モニタ１０の底面１４ｂに形成されている切欠き孔１８に、ブラケット２０の上端の爪２３を挿入し、モニタ１０を下方に移動させる。この過程で、ブラケット２０の爪２３は、モニタ１０の長溝１３内を上方に相対的に移動し、長溝１３の上端部に形成されている上部被係合部１７に嵌まり込む。ブラケット２０の爪２３が以上のようにモニタ１０の上部被係合部１７に嵌まり込んだ時点で、モニタ１０の底面１４ｂがブラケット２０の底面受け部２５のところにほぼ至っている。そこで、ブラケット２０の底面受け部２５に設けられているモニタ固定ネジ２６をモニタ１０のネジ孔１９にねじ込んで、モニタ１０の底面１４ｂをブラケット２０の底面受け部２５に固定する。
【００１７】
すなわち、本実施形態では、モニタ１０の取付は、モニタ１０をブラケット２０の底面受け部２５に載せる際に、モニタ１０の切欠き孔１８にブラケット２０の爪２３を挿入が必要であるが、基本的には、モニタ固定ネジ２６のねじ込みで済むため、簡単にモニタ１０を取り付けることができる。
【００１８】
また、ブラケット２０からモニタ１０を取外しは、ブラケット下部のモニタ固定ネジ２６を緩め、モニタを上方に引き上げるだけで、終了する。
【００１９】
以上のように、本実施形態では、基本的に、ブラケット下部のモニタ固定ネジ２６の操作と、モニタ１０の上下方向の移動のみで、簡単にモニタ１０の取付及び取外しを行うことができる。
【００２０】
また、本実施形態では、モニタ１０が取り付けられている状態において、モニタ１０の底面１４ｂがモニタ固定ネジ２６でブラケット２０の底面受け部２５に固定され、さらにモニタ１０の上部被係合部１７にブラケット２０の爪２３が嵌まり込んで、モニタ上部が水平方向（表示面に対して垂直な方向）に移動できないので、モニタ全体がブラケット２０にしっかりと取り付けられ、振動に対するモニタ１０の揺れを抑えることができる。
【００２１】
なお、本実施形態において、モニタ１０に形成した上部被係合部１７は、上方に凹んだ溝として形成し、ブラケット２０に形成した上部係合部は上方に突出した爪２３として形成したが、上部被係合部と上部係合部との凹凸関係は相対的なものであるため、図３に示すように、モニタの上部被係合部は下方に突出した突出片１７ａで、ブラケットの上部係合部は下方に凹んだ溝２３ａであってもよい。
【００２２】
【発明の効果】
本発明によれば、モニタの底面に設けられている下部被係止部がブラケットの下部係止部に係止され、モニタの上部に設けられている上部被係合部がブラケットの上部係合部に係合しているので、モニタ全体がしっかりとブラケットに支えられており、振動に対するモニタの揺れを最小限に抑えることができる。
【００２３】
また、本発明では、モニタをブラケットの底面受け部に載せる過程で、モニタの上部被係合部がブラケットの上部係合部に係合するので、その後、底面受け部の下部係止部を操作するだけで、簡単にモニタをブラケットに取り付けることができる。
【図面の簡単な説明】
【図１】本発明に係る一実施形態におけるモニタ装置の展開斜視図である。
【図２】本発明に係る一実施形態におけるモニタ装置の要部切欠き側面図である。
【図３】本発明に係る一実施形態の変形例としてのモニタ装置の要部切欠き側面図である。
【図４】従来のモニタ装置の展開斜視図である。
【図５】図４のモニタ装置の側面図である。
【図６】従来の他のモニタ装置の展開斜視図である。
【図７】図６のモニタ装置の要部切欠き側面図である。
【符号の説明】
１０，１０ａ，１０ｂ…モニタ、１３…長溝、１４ａ…背面、１４ｂ…底面、１５…金具、１６…長孔、１７…上部被係合部、１８…切欠き孔、１９…ネジ孔（下部被係止部）、２０，２０ａ，２０ｂ…ブラケット、２１…背面受け部、２３…爪（上部係合部）、２５…底面受け部、２６…モニタ固定ネジ（下部係止部）、３０…連結機構、３９…固定板。
【図１】
2004082759.tif 000003
【図２】
2004082759.tif 000004
【図３】
2004082759.tif 000005
【図４】
2004082759.tif 000006
【図５】
2004082759.tif 000007
【図６】
2004082759.tif 000008
【図７】
2004082759.tif 000009